Podtech/llm-jp-corpus-v4-ja_patent huggingface dataset:
(57)【要約】      （修正有）【課題】自由にカレンダーをレイアウトでき、長期間使用することができるループカレンダーを提供する。【解決手段】何度も貼って剥がすことのできる、１〜３１の英数字、漢数字またはアラビア数字を印刷したシールからなる。【選択図】図５
0003161224.tif 000002
【実用新案登録請求の範囲】
【請求項１】
何度も貼って剥がすことのできるシールで作られた１〜３１の英・漢・アラビア数字から成るカレンダー。
【考案の詳細な説明】
【技術分野】
【０００１】  本考案は、カレンダーの要素を分解し、何度も貼って剥がすことのできるシールにすることで、１から３１の数字が永久につながるループカレンダーに関するものである。
【背景技術】
【０００２】  従来、壁掛け式の月めくりカレンダー、日めくりカレンダー、万年カレンダーがあった。
【先行技術文献】
【０００３】
【特許文献１】  特許公開２００５−０２４６９１
【０００４】
【特許文献２】  特許公開２００４−０１３１４１
【０００５】
【特許文献３】  特許公開平１０−０５２９８４
【０００６】
【特許文献４】  特許公開平０７−０２３３６３
【考案の概要】
【考案が解決しようとする課題】
【０００７】  これらは、次のような欠点があった。
従来の月めくりカレンダーは、日付欄に予定を書き込むことができるという便利さがある反面、大きな面積を占め、インテリアの雰囲気を邪魔することもあった。
また、年が変わると曜日と月日がずれるため、捨てる他なかった。【０００８】  日めくりカレンダーは書き込みをしても予定の把握が難しく、また日が変われば捨てられた。【０００９】  万年カレンダーには、書き込みができなかった。【００１０】  上記三種のカレンダーはすべてレイアウトがすでに決まったものであるため、使用者は気に入ったデザインを選択するしかなかった。
本考案は以上の欠点を解決するためになされたものである。
【課題を解決するための手段】
【００１１】イ）１２個の月を表す記号（１）と３１個の日付の数字（２）を、すべて個別に剥ぎ取ることができるシールにする。同様に、曜日（４）または休日などの特定日を示すマーク５つ以上（３）を設ける。
ロ）シールを繰り返し貼って剥がせるものとする。
本考案は以上の組み合わせで実現する壁貼り式のループカレンダーである。
【考案の効果】
【００１２】  使う人が自由にカレンダーをレイアウトできる。インテリアに合わせてカレンダーの形を変えることができる。【００１３】  曜日、または休日などの特定日を示すマークを移動することで、年月を問わずいつでも使うことができる。【００１４】  裏面がシールなので、用事のある日などに詳細を書いたメモを挟むことができる。
【図面の簡単な説明】
【００１５】
【図１】ループカレンダーの製品の正面図である。
【図２】ループカレンダーの製品の正面図である。
【図３】使用時レイアウト例を示す正面図である。
【図４】使用時レイアウト例を示す正面図である。
【図５】使用状態でのループカレンダーを示す透視図である。
【図６】予定日にメモを挟んだ使用例である。
【考案を実施するための形態】
【００１６】繰り返し貼って剥がすことのできるシールに
イ）１２個の月を表す記号（１）と３１個の日付の数字（２）を印刷し、すべて個別に剥ぎ取ることができるようにする。
ロ）同様に曜日（４）や、休日などの特定日を示すマーク５つ以上（３）を設ける。
【実施例】
【・・・・】
【産業上の利用可能性】
【・・・・】
【符号の説明】
【００１７】１．      月表記
２．      日付
３．      特定日マーク
４．      曜日表記
５．      昨日の日付
６．      本日の日付を移動する場所
【図１】
0003161224.tif 000003
【図２】
0003161224.tif 000004
【図３】
0003161224.tif 000005
【図４】
0003161224.tif 000006
【図５】
0003161224.tif 000007
【図６】
0003161224.tif 000008
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
何度も貼って剥がすことのできる、１〜３１の英数字、漢数字またはアラビア数字を印刷したシールから成るカレンダー。
(57)【要約】      （修正有）【課題】てんぷら料理をする際に、調理する者が安心して調理に集中できるてんぷら揚げ用の防護具を提供する。【解決手段】上半身のうち、顔面Ｘ、頭部Ｙを覆う透明な素材で形成されたフェース部１と、首部Ｚを覆う連結部２と、上半身の胴体部を覆うエプロン部３からなることを特徴とするてんぷら揚げ用の防護具から構成され、かつ、フェース部１とエプロン部３は、首部Ｚを覆う連結部２で着脱自在とするものである。【選択図】図１
0003161220.tif 000002
【実用新案登録請求の範囲】
【請求項１】
顔面（Ｘ）、頭部（Ｙ）を覆う透明な素材で形成されたフェース部（１）と、首部（Ｚ）を覆う連結部（２）と、上半身の胴体部を覆うエプロン部（３）からなることを特徴とするてんぷら揚げ用の防護具。
【請求項２】
フェース部（１）とエプロン部（３）とが、連結部（２）で着脱自在に装着されるものであることを特徴とする請求項１記載のてんぷら揚げ用の防護具。
【考案の詳細な説明】
【技術分野】
【０００１】
この考案は、てんぷら揚げ用の防護具に関するものである。
【背景技術】
【０００２】
従来より、てんぷらは、日本料理において、刺し身とともに双璧をなす料理であり、高温の食用油中に食材を入れて「ころも」と呼ばれる小麦粉を水で溶いたコーティング材に浸して揚げるものである。
【０００３】
しかし、素揚げと称して、食材をそのまま高温の食用油中に入れることもあり、食材によっては水分を含んでいるため、食用油に入れた際、その水分が飛び散り、顔面、首、あるいは腕等に飛び跳ねることがあり、火傷の原因となっていた。
【０００４】
特にまれな例ではあるが、飛び跳ねた油が、眼球に飛び散り、大変な事故や、場合によっては、失明するおそれもあり、てんぷらを揚げる際には慎重に調理する必要があった。  
【０００５】
そのため、これらを防止する発明として、やけど防止マスク・シートが存在する。
例えば、特許文献１のように。
【先行技術文献】
【特許文献】
【０００６】
【特許文献１】特開２００９−９００８１号公報
【０００７】
しかしながら、このやけど防止マスク・シートは、顔面のみを覆うものであり、首すじや両腕までも被覆するものではなく、撥ねる油から保護するには不充分なものであった。
【考案の概要】
【考案が解決しようとする課題】
【０００８】
そこで、考案が解決しようとする課題は、てんぷらを揚げる際に、調理する者が安心して調理に集中できる，てんぷら揚げ用の防護具を開発・提供することにある。
【課題を解決するための手段】
【０００９】
この考案による課題を解決するための手段としては、まず、高温のてんぷら油が飛び散る顔面、首すじ、そして両腕を完全に覆うことのできるてんぷら揚げ用の防護具とするものである。
【考案の効果】
【００１０】
この考案によると、顔面（Ｘ）、頭部（Ｙ）を覆うフェース部（１）は、てんぷらが揚げやすいよう透明な素材で構成されており、また、フェース部（１）、首部（Ｚ）を覆う連結部（２）と、上半身の胴体部を覆うエプロン部（３）で上半身全部を飛び跳ねる油から防護出来るため、安心して調理に専念できる等の極めて有益なる効果を奏するものである。
【図面の簡単な説明】
【００１１】
【図１】この考案の一実施例を示す正面図である。
【図２】この考案の一実施例を示す側面図である。
【図３】この考案の一実施例を示すエプロン部の正面図である。
【図４】この考案の一実施例を示すエプロン部の側面図である。
【考案を実施するための形態】
【００１２】
以下、この考案の好適な実施の形態について述べると、身体の上半身のうち、顔面、頭部を覆うフェース部と、首部を覆う連結部と、上半身の胴体部を覆うエプロン部から構成されたてんぷら揚げ用の防護具である。
【実施例】
【００１３】
そこで、この考案の一実施例を図１，図２に基づいて詳細に説明すると、身体の上半身のうち、顔面（Ｘ）、頭部（Ｙ）を覆うフェース部（１）と、首部（Ｚ）を覆う連結部（２）と、上半身の胴体部を覆うエプロン部（３）からなることを特徴とするてんぷら揚げ用の防護具から構成される。
【００１４】
上記てんぷら揚げ用の防護具の素材は、合成樹脂シートで形成され、フェース部（１）は、見えやすいように透明な合成樹脂素材にするものであり、エプロン部（３）は、ナイロン、ビニール等の合成樹脂シートや布地であってもよい。
【００１５】
そして、フェース部（１）とエプロン部（３）とは、連結部（２）で連結され、ボタン、ジッパー、あるいはベルクロテープ等の固定具（４）で、着脱自在に装着し、必要に応じては、フェース部（１）とエプロン部（３）とは、連結部（２）から取り外して、別個に使用してもよいものである。
【００１６】
また、上記てんぷら揚げ用の防護具は、調理の都度、使い捨てにするものであるが、汚れの付着する程度によって、ある程度、反復継続して使用してもかまわない。
【産業上の利用可能性】
【００１７】
この考案のてんぷら揚げ用の防護具の技術を確立し、該防護具を実施・販売することにより、産業上利用できるものである。
【符号の説明】
【００１８】
１  フェース部
２  連結部
３  エプロン部
４  固定具
Ｘ  顔面
Ｙ  頭部
Ｚ  首部
【図１】
0003161220.tif 000003
【図２】
0003161220.tif 000004
【図３】
0003161220.tif 000005
【図４】
0003161220.tif 000006
(57)【要約】      （修正有）【課題】不法侵入者が気づかずに、しかも、恐怖感を抱かせるような大音響を発生する防犯用クラッカーボールを提供する。【解決手段】これまでの防犯器具装置と異なり不法侵入者、自らの加重によってクラッカーボールを爆発させるものである。侵入者、自らの足で踏んだ時に爆発音を発生するため、当人は驚愕と共に家人、近隣の人にも侵入の事実を通報するため、不法侵入者を認識させる効果がある。【選択図】図１
0003161242.tif 000002
【実用新案登録請求の範囲】
【請求項１】
投げる、踏むなどの衝撃によって爆音を発するクラッカーボールを諸種の防水・防湿機能を持つ物質によって表面を被覆させたクラッカーボールで爆発を確実にするために両面に固いボードを置き、数個のクラッカーボールを接着させた防犯用クラッカーボールである。
【考案の詳細な説明】
【技術分野】
【０００１】本考案は不法侵入者（泥棒等）の防止に関するものである。
【背景技術】
【０００２】これまで家屋等への不法侵入者の侵入時に際して、音の発生する器具は多数存在する。
【先行技術文献】
【０００３】その種類については、超音波、赤外線センサーなどにより、窓、玄関などの侵入部に設置されたアラームユニットがある。
【考案の概要】
【０００４】不法侵入者に対して音の発生する器具は多数あるが、従来の装置は事前にその存在が推定可能な器具であるので、不法侵入者がこれに注意すれば容易に侵入される欠点があるがこの考案は、不法侵入者が気づかずに踏んだ時に爆音が出て驚いて退散することである。
【考案が解決しようとする課題】
【０００５】そこで上記の事実から不法侵入者が気づかずに、しかも、恐怖感を抱かせるような大音響を発生する器具を考案した。
【課題を解決するための手段】
【０００６】市販のクラッカーボール（かんしゃく玉）の表面にラッカー、パラフィン、シリコン、樹脂薄膜などの防水、ならびに防湿加工をする。
▲１▼地面がコンクリート、石などの固いものであれば、そのまま置く。
▲２▼地面が土、砂など軟らかいものの時は、両面に固いボンドで数個のクラッカーボールをはさむ。
▲１▼、▲２▼いづれの場合でも、踏む圧力によって爆発、轟音を発生させるものである。
クラッカーボールとは衝撃により炸裂する火薬を紙で包んだもの。（子供のおもちゃとして販売されているもの）
【考案の効果】
【０００７】本考案の効果は侵入者、自らの足で踏んだ時に爆発音を発生するため、当人は驚愕と共に家人・近隣の人にも侵入の事実を通報するため、不法侵入者を認識させる効果がある。
【図面の簡単な説明】
【０００８】
【図１】本考案の正面図
【図２】本考案の側面図
【符号の説明】
【０００９】１．固いボード
２．接着剤
３．クラッカーボール
４．市販のラッカー、パラフィン、シリコン、樹脂薄膜の防水剤、防湿剤
【考案を実施するための形態】
【００１０】侵入し易い場所に複数個置く。
【００１１】実際に上記▲１▼、▲２▼を確認するために実験者に踏んでもらうと、音の大きさに驚愕した。しかし、清掃などの時に家人が踏むこともあるので各クラッカーボールにテグス等を装着する場合もある。
【産業上の利用可能性】
【００１２】本考案は人に知られず、不法侵入者に対して、足の下から発せられる轟音によって当人を驚愕せしめるのみならず、家人、近隣人に侵入を知らしめることになる。従って本考案は新たな防犯器具としての価値が認められる。
【図１】
0003161242.tif 000003
【図２】
0003161242.tif 000004
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
投げる、踏むなどの衝撃によって爆音を発するクラッカーボールを諸種の防水及び防湿機能を持つ物質によって表面を被覆した数個のクラッカーボールを、２枚の固いボードの間に接着により固定してなる防犯用クラッカーボール。
(57)【要約】      （修正有）【課題】２〜３本のメガネを置け、一目で必要とするメガネを取り出せてメガネを折りたたみしないので、汚れが少ないメガネ掛け棚を提供する。【解決手段】メガネの鼻に掛ける部分と耳に掛ける２カ所の部分を、受ける置物をキズの入りにくい木で、とまり木の様に構成した。土台１に丸柱２を圧入して、丸柱２にメガネの鼻に掛ける部分が入る溝を削った支柱Ａ３とメガネの耳に掛ける部分が入る溝を削った支柱Ｂ４を対角方向に数本づつ圧入した置物である。【選択図】図１
0003161245.tif 000002
【実用新案登録請求の範囲】
【請求項１】
木の土台に木の丸棒を垂直に圧入し、圧入した丸棒に溝を作った数本の木の丸棒を対角方向に圧入した置物である。
【請求項２】
考案したこのメガネ掛け棚を木の替わりにプラスチックで制作したもの。
【請求項３】
この置物の土台に、角型の溝を作って携帯電話もおける様にした。
【考案の詳細な説明】
【技術分野】
【０００１】本考案は、書斎等でメガネケースを使用していた物をメガネを掛けて、使う様に考案した置物である。
【背景技術】
【０００２】従来はメガネケースに入れて保管し、使う時はメガネケースから取り出していたのでレンズが汚れたり、メガネケースへの出し入れが面倒であった。
【考案の概要】
【考案が解決しようとする課題】
【０００３】従来のメガネの保管には、メガネケースと郵便局等にメガネを折りたたんで保管している棚の置物とメガネ売り場に２０個ほど掛ける大きなメガネ掛けはあったが、個人が家の中で持つものは、ケース以外に市販されていなかった。
【課題を解決しようとする手段】
【０００４】メガネを簡単に保管できるもの。
【０００５】メガネに傷が入りにくいもの。
【０００６】軽くて手軽に持ち運べるもの。
【考案の効果】
【０００７】このメガネ掛け棚は、２〜３本のメガネを置けるので一目で必要とするメガネを取り出せメガネを折りたたみしないので、汚れが少なくなった。
【考案を実施するための形態】
【０００９】以下、本考案の形態を説明する。
メガネを開き、支柱Ａ▲３▼にメガネの鼻掛け部を乗せて、メガネの耳掛け部を、支柱Ｂ▲４▼に乗せて、メガネを保持する。
【図面の簡単な説明】
【００１０】
【図１】考案したメガネ掛け棚の斜視図である。
【図２】考案したメガネ掛け棚の実施例１である。
【図３】考案したメガネ掛け棚にメガネと携帯電話を置いた実施例２である。
【符号の説明】
【００１１】▲１▼土台        ▲２▼丸柱        ▲３▼支柱Ａ        ▲４▼支柱Ｂ
【図１】
0003161245.tif 000003
【図２】
0003161245.tif 000004
【図３】
0003161245.tif 000005
【手続補正書】
【提出日】平成22年5月17日(2010.5.17)
【手続補正１】
【補正対象書類名】実用新案登録請求の範囲
【補正対象項目名】全文
【補正方法】変更
【補正の内容】
【実用新案登録請求の範囲】
【請求項１】
木の土台に木の丸棒を垂直に圧入し、圧入した丸棒に溝を作った数本の木の丸棒を対角方向に圧入したメガネ掛け棚。
【請求項２】
請求項１記載のメガネ掛け棚において、木の代わりにプラスチックで製作したメガネ掛け棚。
【請求項３】
請求項１記載のメガネ掛け棚において、前記土台に携帯電話を置くための角形の溝を設けたメガネ掛け棚。
【手続補正２】
【補正対象書類名】明細書
【補正対象項目名】全文
【補正方法】変更
【補正の内容】
【考案の詳細な説明】
【技術分野】
【０００１】
本考案は、書斎等でメガネケースを使用していた物を、メガネを掛けて使う様に考案したメガネ掛け棚に関する。
【背景技術】
【０００２】
メガネは、従来はメガネケースに入れて保管し、使う時はメガネケースから取り出していたので、レンズが汚れたり、メガネケースへの出し入れが面倒であった。
【考案の概要】
【考案が解決しようとする課題】
【０００３】
従来のメガネの保管には、メガネケースと、郵便局等のメガネを折りたたんで保管している棚の置物と、メガネ売り場の２０個ほど掛ける大きなメガネ掛けはあったが、個人が家の中で持つものは、ケース以外に市販されていなかった。
【課題を解決するための手段】
【０００４】
本考案は、木の土台に木の丸棒を垂直に圧入し、圧入した丸棒に溝を作った数本の木の丸棒を対角方向に圧入したメガネ掛け棚である。
なお、木の代わりプラスチックで製作可能である。また、前記土台に携帯電話を置くための角形の溝を設けることもできる。
【０００５】
メガネを簡単に保管できるものである。
【０００６】
メガネに傷が入りにくいもの。
【０００７】
軽くて手軽に持ち運べるもの。
【考案の効果】
【０００８】
このメガネ掛け棚は、２〜３本のメガネをおけるので、一目で必要とするメガネを取り出せ、メガネを折り畳まないので、汚れが少なくなった。
【図面の簡単な説明】
【０００９】
【図１】考案したメガネ掛け棚の斜視図である。
【図２】考案したメガネ掛け棚の実施例１である。
【図３】考案したメガネ掛け棚にメガネと携帯電話を置いた実施例２である。
【考案を実施するための形態】
【００１０】
以下、本考案の携帯を説明する。
メガネを開き、支柱Ａ３にメガネの鼻掛け部を載せて、メガネの耳掛け部を、支柱Ｂ４に載せてメガネを保持する。
【符号の説明】
【００１１】
１：土台、２：丸柱、３：支柱Ａ、４：支柱Ｂ
(57)【要約】      （修正有）【課題】公衆トイレ等不特定多数が使用する小便器、洋式便器手前の床汚れの解消に役立つマットを提供する。【解決手段】小便器又は洋式便器の手前床に衛生マットを敷く。マットの固定軸３に足シート４を付け、人は自然にシートの上に立つようになり、便器とは適当の距離で用を足し、垂れる小便が少なくなる。マットはシリコンゴムで製作し、多少汚れでも床に滲みることはない。また、足シート４は外して洗えるので、マットの汚れを外まで広げることなく清潔感が保たれる。【選択図】図４
0003161241.tif 000002
【実用新案登録請求の範囲】
【請求項１】
山状滑り止め▲２▼と、固定軸▲３▼と、足シート▲４▼と、足シート裏面の嵌め穴▲５▼と、長方形の片面に便器と合う形状の切り込み▲６▼と、を整えた衛生マット▲１▼。
【考案の詳細な説明】
【技術分野】
【０００１】本考案は、公衆トイレなど不特定多数の人が利用する便器に使用するマットに関するもの。
【背景技術】
【０００２】家庭、ホテルなどの便座用マットは普及していますが、公衆トイレの便器用マットは殆ど普及されていません。
【考案の開示】
【考案が解決しようとする課題】
【０００３】しかし男子小便器の手前床の汚れはあちこち目立ちます、きちんと掃除しない場合、汚れは床に滲みこんで、臭いが取れなくなります。
【課題を解決するための手段】
【０００４】この課題を解決するための請求項１の発明は、衛生マットを便器の手前に敷き、外に垂れた尿を受ける。衛生マットはシリコンゴム製ですので、垂れた小便が床まで滲みることはありません。衛生マットを取替えて洗えば、床はいつも清潔に保つことができます。マット下面に山状すべり止めが付き、人が踏んでも滑りにくい。さらに、マットには固定軸が付き、その上に足シートを取り付けたら、人は自然に足シートの上に立ち、便器と近い距離で用を足していくので、垂れる尿が少なくなることは明らかです。
また、足シートは外して洗えるので、マットは多少汚れても、靴の底を汚さないですから、マットの汚れを外まで広げません、そうすれば便器からトイレの入口までべたべた濡れないで済むので、清潔感が保たれます。【０００５】足シートの取付方法については、マットの固定軸が片方二つあります（図１、図４）、足シートの裏面の前方に穴が二つあり、後方に穴が一つあります（図３、図４）。後方穴と前方内側の穴を使って、マットの固定軸に嵌めれば、シートは斜め方向に嵌められます（図５）、この向きは男子小便器に最適です（図６）。
足シートの後方穴と前方外側の穴を使って、マットの固定軸に嵌めれば、シートは直方向に嵌められます（図７）、この向きは洋式便器に使えます（図８）。こうして足シートの方向を変えて付ければ、衛生マットは男子小便器にも、洋式便器にも使えます。
また、マットの便器側切り込みは違うメーカーの違う形の便器に合うように、切取り線を入れていますので、それを便器形状に合わせて切って使えます。
【考案の効果】
【０００６】  この衛生マットを敷き、一定の間隔でマットを洗えば、便器の手前の床がいつも清潔に保つことができます。また、足シートが付いているため、人はいつもより一歩前に立ち、垂れる尿が少なくなると同時に、便器下部外側の汚れも少なくなります。土足で出入りのトイレはいつものように、汚れた靴で汚れを外まで持っていってしまうことがもうありません。
スリッパを履き替えのトイレと同様にきれいに使用できます。
【考案を実施するための最良の形態】
【０００７】本考案の衛生マットはシリコンゴム製で、ゴムの下面に山状の滑り止めを作ります。マットの固定軸は、後ろは直径４５ｍｍ、前は３５ｍｍくらいに、高さは１０ｍｍくらいにします。足シートのサイズは男性用靴より大きめにする、前の二つ穴の間隔は２０ｍｍくらいにします。マットの前面に便器の形状と合うよう、各メーカーの便器のサイズに共通使用できる切り込み余長を付ける。
【図面の簡単な説明】
【０００８】
【図１】マット平面図
【図２】足シート  表面図
【図３】足シート  裏面図
【図４】マットに足シートを取付断面図
【図５】マットに足シートを取付図（小便器用  斜め方向）
【図６】衛生マット使用図（小便器使用）
【図７】マットに足シートを取付図（洋式便器用  直方向）
【図８】衛生マット使用図（洋式便器使用）
【符号の説明】
【０００９】１    マット
２    山状滑り止め
３    固定軸
４    足シート
５    嵌め穴
６    便器形状に合わせる切り込み
７    小便器
８    洋式便器
【図１】
0003161241.tif 000003
【図２】
0003161241.tif 000004
【図３】
0003161241.tif 000005
【図４】
0003161241.tif 000006
【図５】
0003161241.tif 000007
【図６】
0003161241.tif 000008
【図７】
0003161241.tif 000009
【図８】
0003161241.tif 000010
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
長方形のマットと足シートとからなる衛生マットにおいて、前記マットの下面には山状滑り止めが設けられ、前記マットの一辺には便器と合う形状の切り込みが設けられ、さらに、前記マットの上面には固定軸が設けられるとともに、前記足シートの裏面には嵌め穴が設けられ、当該嵌め穴に前記固定軸が嵌め込まれることにより前記足シートを前記マットに固定することを特徴とする衛生マット。
(57)【要約】      （修正有）【課題】串全体に伸縮機能を設け、食べる時の安全性、快適性、廃棄時のゴミ縮小、洗浄時の安全性に役立つ伸縮機能付串を提供する。【解決手段】串１は耐熱性のプラスチック、鉄、木材等適宣素材にて形成する。接続部分５は食材取付時に縮まるようにロックする。又は食材取付時串本体内部に棒を貫通させ、縮まないように固定したあと、食物をとりつけ、その後棒を取り除く方法がある。食べ進むと、先端部２の部分が格納部３に格納され、最後には接続部５のみ表面に残った筒状になる。【選択図】図１
0003161253.tif 000002
【実用新案登録請求の範囲】
【請求項１】
串本体に伸縮機能を設けるところを特徴とする伸縮機能付き串
【考案の詳細な説明】
【技術分野】
【０００１】  本考案は伸縮機能を設けた串に関するものである。
【背景技術】
【０００２】  焼き鳥、おでん、だんご等の串についている食品を食べる時、串の先端部分に注意し、また、食べるにつれて串が邪魔をし、食べづらくなっていた。また廃棄時の危険性、ゴミの増大も問題であった
【考案の概要】
【考案が解決しようとする課題】
【０００３】  従来の串では先端部分で怪我をする恐れがあり、また、食べ進むと串の先端部分が残り、最後まで食べるには工夫を要する。使用後破棄するケースが多いので廃棄物の増大につながる。また再利用の場合の洗浄時に先端部分で怪我をする。従って、串に伸縮機能を設けることにより串物を食すのに快適な状態になり、また、先端部分を格納することにより前述の欠点を解決しようとするものである。
【課題を解決するための手段】
【０００４】  本考案は串に伸縮機能を設けることにより、問題点を解決している。
【考案の効果】
【０００５】  上述のように本考案の伸縮機能付き串は串本来の目的はもちろん、伸縮機能を串全体に設けたので最後まで安全、快適に食べることができ、しかもゴミとして廃棄する場合と共に再利用の場合の洗浄時の安全性、ゴミの縮小も見込めることからゴミ削減にも役立つ。
【図面の簡単な説明】
【０００６】
【図１】本考案の伸縮機能付き串の一実施例を示す正面図である。
【図２】本串の食品が付いている状態の正面図である。
【図３】本串に格納途中の正面図である。
【図４】格納時の正面図である。
【考案を実施するための形態】
【０００７】  食材串本体を突き通し、先端から食べ進めると先端部分を次の部分を接続する部分が見えてくる。接続部分より先に食材がくると先端部分を押すことにより、次部分に格納される。同様に順に食べ進むと接続部分ごとに次の部分に格納されるため、最終的には筒状のものになる。この場合、筒の形状は円形、多角形等の形状は問わない。
【実施例】
【０００８】添付図面に従って一実施例を説明する。
１は耐熱性のプラスチック等、鉄、木材等適宣素材にて形成された串である。接続部分５は食材取付時に縮まるようにロックする。又は食材取付時串本体内部に棒を貫通させ、縮まないように固定したあと、食物をとりつけ、その後棒を取り除く方法がある。
図２の状態になったと後、食べ進むと図３の状態になり、２の部分が３に格納される。
最後には図４のようになり筒状になる。
【符号の説明】
【０００９】１串本体
２先端部
３格納部
４最終格納部
５接続部
【図１】
0003161253.tif 000003
【図２】
0003161253.tif 000004
【図３】
0003161253.tif 000005
【図４】
0003161253.tif 000006
【手続補正書】
【提出日】平成22年5月2日(2010.5.2)
【手続補正１】
【補正対象書類名】実用新案登録請求の範囲
【補正対象項目名】全文
【補正方法】変更
【補正の内容】
【実用新案登録請求の範囲】
【請求項１】
串本体を外側串、中間串、内側串に分割することにより、内側串を中間串に納め、中間串を外側串に納めてあり、この内側串を中間串から引き出し、中間串を外側串から引き出して伸長する串であり、また、内側串は先端部分になり、内側串を中間串に格納、中間串を外側串に格納することにより短縮するところを特徴とする伸縮機能付き串
(57)【要約】      （修正有）【課題】ワインを飲む時、グラスに注いだ後の液だれを防止するストッパーを提供する。【解決手段】吸水性の高い和紙等を、ボトル上部に巻き、捻るだけで、その部分により、液だれがストップし、テーブル等も汚すことなく、又、捻った部分の両端を自然に垂らすことにより、食卓におしゃれ感が演出出来る。ワインクーラーを利用しない場合、清潔面、オシャレ面で食卓を華やかにするため、利用の可能性が高い。【選択図】図１
0003161259.tif 000002
【実用新案登録請求の範囲】
【請求項１】
ワインをボトルから、グラスに注ぎ、テーブル等に置く時、ワインがボトルの注ぎ口から液だれし、テーブル等を汚していたのを、吸湿性の高い和紙等を、ボトル上部に巻き捻るだけで、その巻き付けた部分で液だれが止まり、テーブル等が汚れない。しかも、捻り垂らしているので、見た目にもファッショナブルなうえ、使い捨てで、簡単安価に利用できる液だれストッパー。
【考案の詳細な説明】
【技術分野】
【０００１】  本考案は、ワインを飲む時、グラスに注いだ後のボトルの液だれ防止に関する。
【背景技術】
【０００２】  従来、ワイン等を飲む時、注いだ後、液だれして、ボトル、更にはテーブル等が汚れ、見た目に悪かった。
【考案の概要】
【考案が解決しようとする課題】
【０００３】  ワインを注いだ時の液だれは、ボトル、更にはテーブル等を汚し、見た目にも悪いため、簡単かつオシャレに液だれをストップする。
【課題を解決するための手段】
【０００４】  吸湿性の高い、柔らかい和紙等をボトル上部に巻き、捻るだけで、注いだ後の液だれは、その部分で吸収される。
【考案の効果】
【０００５】  上述したように、本考案のストッパーは、確実にその部分で液だれをストップし、かつ見た目にもボトルのアクセントとなり、オシャレで、食卓が華やぐ。
【図面の簡単な説明】
【０００６】
【図１】  本考案をボトルに巻いた、実施形態を示す表裏
【図２】  吸水性の強い和紙等を、好みの長さに切れるよう、切り取り線を入れた図
【図３】  吸水力の強い和紙等を巻き、コンパクトした図
【考案を実施するための形態】
【０００７】  図３のように巻いた、吸水性の高い和紙等は、図２の１の切り取り線は入っており、好みの長さでカットし、図１のように、ボトル上部に、一巻き、又は、二巻きしたところで図１の１にように捻り、両端を垂らしておく。
【実施例】
【０００８】  液だれは、本考案により上部でストップし、清潔感、又、おしゃれ感が味わえる。
【産業上の利用可能性】
【０００９】  ワインクーラーを利用しない場合、清潔面、オシャレ面で食卓を華やかにするため、利用の可能性が高い。
【図１】
0003161259.tif 000003
【図２】
0003161259.tif 000004
【図３】
0003161259.tif 000005
【手続補正書】
【提出日】平成22年4月23日(2010.4.23)
【手続補正１】
【補正対象書類名】実用新案登録請求の範囲
【補正対象項目名】請求項１
【補正方法】変更
【補正の内容】
【請求項１】
吸水性の高い和紙を、ワインボトル上部に巻き、捻る事により、蝶ネクタイを巻いた様な形状を有する液だれストッパー。
(57)【要約】      （修正有）【課題】二重巻き状態の消防用ホースに台形輪状のゴム製の結束具を装着することにより結合金具のふらつき及び型崩れ等を防ぐとともに、より安全で迅速な消防活動等を行うことが出来る消防用ホース結束ゴムを提供する。【解決手段】二重巻き状態の消防用ホース１に台形輪状のゴム製の結束具４を幅の狭い方４ａを受け結合金具２側に、もう一方の幅の広い方４ｂを反対側の消防用ホース１底側１ａ付近に装着することにより、受け結合金具２及び差し結合金具３のふらつきを防ぎ安全性を保つとともに、災害現場等においても消防用ホース搬送、延長の際の型崩れ等を無くし、さらにその形状及び材質等により結束具の離脱を容易にし、安全で迅速な消防活動等に役立つ。【選択図】図１
0003161258.tif 000002
【実用新案登録請求の範囲】
【請求項１】
二重巻き状態の消防用ホースに装着することにより結合金具のふらつきを防ぎ安全性を保ち、かつ、型崩れ等を防止し災害現場等での迅速な消防用ホース延長等を可能とする台形輪状のゴム製の結束具である消防用ホース結束ゴム
【考案の詳細な説明】
【技術分野】
【０００１】  本考案は、二重巻き状態の消防用ホースの型崩れを防ぎ運搬等を安全かつ迅速にし、また、消防用ホース延長を迅速、良好に行うための結束具に関するものである。
【背景技術】
【０００２】  災害、訓練等において二重巻き状態の消防用ホースを運搬、延長等する際に消防用ホースの結合金具がふらついたり、型崩れ等が発生していた。
【考案の概要】
【考案が解決しようとする課題】
【０００３】  二重巻き状態の消防用ホースの結合金具がふらつくことにより身体を負傷等することもあり、また、訓練や火災等の災害現場では二重巻き状態の消防用ホース延長の際、型崩れ等が発生しやすくその場合迅速な消防活動に支障を来たすこととなる。従って、二重巻き状態の消防用ホースを台形輪状のゴム製の結束具で結束することにより、前述の問題を解決するものである。
【課題を解決するための手段】
【０００４】  本考案は、二重巻き状態の消防用ホースに台形輪状のゴム製の結束具で幅の狭い方を受け結合金具側、他方の幅の広い方を対面側の消防用ホース底側に結束することで型崩れ等を防止し安定性を保つとともに、また、容易な離脱性を有することでより安全で迅速な消防活動等が行える様、問題を解決している。
【考案の効果】
【０００５】  上述の様に本考案の消防用ホース結束ゴムは、結合金具のふらつきを防ぐことは勿論、結束のゴム製の輪を台形状にすることにより、型崩れを防ぐ等の安定した結束となり、さらに、結合金具部分からのゴム輪の離脱性も高く災害現場等での消防用ホース延長などの迅速な消防活動等に役立つ。また、消防用ホース結束ゴムの具体的な形状は、一例として、大型車両のタイヤチューブ的な物を一定の適した比率で均等に輪切りにした形態である。
【図面の簡単な説明】
【０００６】
【図１】二重巻き状態の消防用ホースに本考案の消防用ホース結束ゴムを取り付けた状態図である。
【図２】本考案の消防用ホース結束ゴムの正面図である。
【考案を実施するための形態】
【０００７】  二重巻き状態の消防用ホースに本考案の結束具の幅の狭い方を受け結合金具側、もう一方の広い方を対面側の消防用ホース底側に装着する。これによりホースの型崩れ等を防ぐ等の安定した結束となる。また、本考案の結束具はゴム製の輪としているため、その伸縮性により離脱及び装着が容易となり、より迅速な消防活動等が行える状況となる。
【実施例】
【００８】  以下、添付図面に従って一実施例を説明する。１は、二重巻き状態の消防用ホース、４は、台形輪状のゴム製の結束具である本考案の消防用ホース結束ゴムである。二重巻き状態の消防用ホース１に台形輪状のゴム製の消防用ホース結束ゴム４の幅の狭い方４ａを二重巻き状態の消防用ホース１の受け結合金具２側、もう一方の幅の広い方４ｂを二重巻き状態の消防用ホース１の対面側の底側１ａ付近に装着する。これにより、受け結合金具２及び差し結合金具３のふらつきを防ぐとともに、消防用ホース全体の型崩れを防ぐ等の安定した結束となる。また、訓練、災害現場等における二重巻き状態の消防用ホース１延長の際は、消防用ホース結束ゴム４が装着された二重巻き状態の消防用ホース１の１ａ付近が地面等に接するように置き、その後、受け結合金具２を持ち消防用ホース結束ゴム４を引っ張るように外側に押し広げ引くことにより、消防用ホース結束ゴム４が二重巻き状態の消防用ホース１から容易に離脱され、迅速な動作で消防用ホース延長可能状態となる。
【符号の説明】
【００９】  １  二重巻き状態の消防用ホース
２  受け結合金具
３  差し結合金具
４  本考案の消防用ホース結束ゴム
【図１】
0003161258.tif 000003
【図２】
0003161258.tif 000004
【手続補正書】
【提出日】平成22年4月20日(2010.4.20)
【手続補正１】
【補正対象書類名】実用新案登録請求の範囲
【補正対象項目名】請求項１
【補正方法】変更
【補正の内容】
【請求項１】
二重巻き状態の消防用ホースに装着することにより結合金具のふらつきを防ぎ安全性を保ち、かつ、型崩れを防止し災害現場や訓練においての迅速な消防用ホースの延長及び搬送を可能とする台形輪状のゴム製の結束具である消防用ホース結束ゴム
(57)【要約】      （修正有）【課題】食事の際、指先を汚すことなく食品を手づかみするための、食事用指カバーを提供する。【解決手段】指１本の形をかたどったビニール１を二枚重ね合わせる。指の根元部分に位置する辺を開口部３とし、それ以外の弧形の辺２を綴じて袋状にする。これを使用するときは、平面状に重なったビニール１の表面を指でスライドさせ、開口部３を広げる。その隙間に指を通し、弧形の辺２の一番上の部分に指の先端が来るよう深く装着する。【選択図】図１
0003161256.tif 000002
【実用新案登録請求の範囲】
【請求項１】
指１本の形をかたどったビニール２枚を重ね合わせ、袋状に綴じたことを特徴とする指カバー。
【請求項２】
他用途の袋と一体型にし、切り離し用のミシン目を設けたことを特徴とする請求項１の指カバー。
【考案の詳細な説明】
【技術分野】
【０００１】  本考案は、食事の際に指先を汚すことなく食品を手づかみするための食事用指カバーに関するものである。
【背景技術】
【０００２】  従来、手づかみで食べるのが一般的となっている食品や、箸やフォークでの食事が難しい食品は、直に手づかみで食べられている。
なお、手の表面を汚れや刺激から守ることを目的とした、５本指のビニール製手袋の考案が知られている。
【先行技術文献】
【０００３】
【特許文献１】実用新案登録第３００１５３１号公報
【考案の概要】
【考案が解決しようとする課題】
【０００４】  従来、次のような問題点があった。
（イ）直に食品を手づかみすると指先が汚れやすく、唾液やおしぼり等で拭っても限界        があり、指先を衛生的に保つことが困難でわずらわしかった。
（ロ）５本指のビニール製手袋は、手の全体を覆ってしまうため、着脱に時間がかかり        サイズも特定の大きさの手にしかフィットしなかった。また、清掃や染髪での使        用が普及していることから、食事の場には大げさでふさわしくないというイメー        ジが定着してしまっている。
本考案は、これらの問題点を解決しようとするものである。
【課題を解決するための手段】
【０００５】  指１本分の形をかたどったビニール２枚を重ね合わせ、指の根元部分に位置する辺を開口部とし、それ以外の弧形の辺を綴じて袋状にする。以上を特徴とする食事用指カバーである。
【考案の効果】
【０００６】  本考案は、手づかみで食事をする際、指先をきれいに保ったまま、衛生的に食品を口に運ぶことが出来る。
また、指先１本ごとに装着するため、必要な指にのみ、無駄なくスムーズに装着出来る。寸法を変えてサイズ展開することで、大小問わず様々な大きさの指に装着出来る。
【図面の簡単な説明】
【０００７】
【図１】本考案の斜視図
【図２】本考案の使用状態を示す斜視図
【図３】本考案の他の実施例を示す斜視図
【考案を実施するための形態】
【０００８】  以下、本考案の実施の形態について説明する。
指１本の形をかたどったビニール（１）２枚を重ね合わせる。指の根元部分に位置する辺を開口部（３）とし、それ以外の弧形の辺（２）を綴じて袋状にする。
本発明は以上のような構造で、これを使用するときは、平面状に重なったビニール（１）の表面を指でスライドさせ、開口部（３）を広げる。その隙間に指を通し、弧形の辺（２）の一番上の部分に指の先端が来るよう深く装着する。
【０００９】  また、図３のように、従来の簡易おしぼり（４）の包装袋を兼ねて一体型にし、ビニール（１）にミシン目（５）（５）を入れてから綴じておくことで、ミシン目（５）（５）から切り離した端末部（６）（６）がそのまま指カバーとなり、同様の役割を果たすことが出来る。
【符号の説明】
【００１０】      １  ビニール
２  弧形の辺
３  開口部
４  簡易おしぼり
５  ミシン目
６  端末部
【図１】
0003161256.tif 000003
【図２】
0003161256.tif 000004
【図３】
0003161256.tif 000005
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
指先の形をかたどったビニール２枚を重ね合わせ、開口部を除いた周辺を綴じたことを特徴とする指カバー。
(57)【要約】      （修正有）【課題】鉄など磁石に吸着される性質を持つ壁面に、液晶モニターを容易に取付けられる様に、液晶モニターの取り付け金具の背面に磁石を並べて形成したマグネットアームを提供する。【解決手段】液晶モニターと壁面を固定する金具の壁面との接合面に、数個のネオジム磁石を並べて配置してマグネットアームを形成する。ネオジム磁石は、垂直な鉄などの吸着可能な金属面に、３センチメートル角で厚さ３ミリメートルの磁石４個で約１キログラムの液晶モニターを安定した状態で長時間固定することができる。又、液晶モニターとネオジム磁石の接合部分に使用する金属にアルミニウムを使用することで、磁場による液晶モニターの画面の乱れや、誤動作などの悪影響を防ぐ。【選択図】図１
0003161281.tif 000002
【実用新案登録請求の範囲】
【請求項１】
マグネットアームとは、小型の液晶モニターを取り付ける際に、ネオジム磁石を使用し、帯磁防止のため金属部分はアルミニウムを使用する方法のことである。
【考案の詳細な説明】
【背景技術】
【０００１】
最近、スーパーやドラッグストアで小型の液晶モニターによる商品ＰＲをよく見かけますが、液晶モニターの取り付け方法は金具による固定がほとんどです。
【０００２】
もっと簡単に取り付ける方法は無いかと思い、マグネットアームを考案いたしました。
【考案の概要】
【０００３】
マグネットアームは、液晶モニターを設置する場所が金属の場合、簡単に設置できるよう、ネオジム磁石により吸着固定いたしました。帯磁による液晶モニターの誤動作防止のため、磁石と液晶モニターを接合する部分の金属にはアルミニウムを使用いたしました。
【図面の簡単な説明】
【０００４】
【図１】マグネットアームに約1キロの液晶モニターを取り付け冷蔵庫に吸着させた図である。
【図２】マグネットアームのアップである。
【図１】
0003161281.tif 000003
【図２】
0003161281.tif 000004
【手続補正書】
【提出日】平成22年5月17日(2010.5.17)
【手続補正１】
【補正対象書類名】明細書
【補正対象項目名】０００３
【補正方法】変更
【補正の内容】
【０００３】
マグネットアームとは、液晶モニターの取り付け金具背面に数個のネオジム磁石を並べて配置したものである。
【手続補正２】
【補正対象書類名】実用新案登録請求の範囲
【補正対象項目名】請求項１
【補正方法】変更
【補正の内容】
【請求項１】
液晶モニターと壁面を固定する金具の壁面との接合面に数個のネオジム磁石を並べて配置した形状を有するマグネットアームである。
(57)【要約】      （修正有）【課題】ステレオグラムの原理に基づいて、視力を維持することができるステレオグラム立体視メガネを提供する。【解決手段】メガネのガラス上部左右に画像を装着する。【選択図】図１
0003161238.tif 000002
【実用新案登録請求の範囲】
【請求項１】
本考案は、左右の視線をステレオグラムの原理に基づいた裸眼立体視画像メガネで、3D画像に視点を誘導する目的を主要な特徴とし、大きな目で全体像を把握する癖を身に付けさせる。平行法の3D画像を、裸眼立体視で目に入れば、近視眼の視点を近くに当てすぎるという癖を改善させられる。さらに視野が広がるので、逆に全体像の原点を見失う事も無くなります。このステレオグラム視力で、持続的にして物体像が視える事は自信につながり、普遍性を身に付けられる先天的概念が十分に養われながら、素質能力を発揮させるこができる。
【請求項２】
脳が同一画像であることを認識することで、内側の二つが融合するように重なり合うと鮮明さを増したステレオグラムの画像が眉の間に浮かびあがって完成する。また、メガネ上の左右のマークは姿を消し、視角の邪魔になるものは何も無い。このようにスッキリさせるのがステレオグラムの原理であり、そうした裸眼立体視で、視力を持続的に維持した特技を再認識しながら身に付けるための、メガネに画像を装着させる技法商品の実用新案登録請求の範囲である。
【考案の詳細な説明】
【技術分野】
【０００１】
本考案は、ステレオグラムの原理を立体的に表現させるメガネに関するものである。
【背景技術】
【０００２】
人間の目には左右二つの目があり、その位置の差により見る風景を微妙に異なった角度から見ています。そのよう、に左右の異なった位置からみるために、各々の目では奥行きのある物の見方が微妙に異なっています。この視差のために何かを見つめる時には、注目する物が左右の網膜の相対する位置にくるように目の角度を調節しますが、脳はこの角度を読み取り立体感をつくりだします。
【０００３】
以前の視力回復アドバイスBOOK  Vo1，１佐藤博士の著書は、学校近視は一種の癖であると述べている。勤勉に励む子供ほど学童近視になりやすく、そのためにメガネをかける子供が増え続けている。そのため、昔から近視の予防として山の緑や遠くの景色を観たり、夜空の星を見るとよいなどと言う訓練法が知られてはいるが、近視の癖が身に付くとなかなか、もとの正常視力に戻るものが難しい。
【先行技術文献】
【非特許文献】
【０００４】
人間が病的以外で身体的な疲れや、精神的安定を欠く事態に遭遇すると視差が異なりはじめ、視野も極端に狭くなり、危うい状態となる可能性が発生しがちです。ここ数年、急増している自殺者が交通事故死を上回る事態にまで来ている悲しい実体があります。そこには様々な要因があるのは確かだが、先の見えない基本的な要因は、物をハッキリ識別できないという視力の機能低下から事態が起きているのではと感じる。
【０００５】
また、弱視についても高性能の眼鏡が開発されているが、学童近視や乱視の矯正が図られつつあるなかで低学年の子供たちの視力が０，３以下に急増している。このような緊急事態について、統計を取りだして時代よりも甚だしく悪化してきている国内事情があります。昔から近視の予防として山の緑や遠くの景色を観たり、夜空の星を見るとよいなどと言う訓練法が知られてはいるが、近視の癖が身に付くとなかなか、もとの正常視力に戻るものが難しい。
【０００６】
人間が病的以外で身体的な疲れや、精神的安定を欠く事態に遭遇すると視差が異なりはじめ、視野も極端に狭くなり、危うい状態となる可能性が発生しがちです。ここ数年、急増している自殺者が交通事故死を上回る事態にまで来ている悲しい実体があります。そこには様々な要因があるのは確かだが、先の見えない基本的な要因は、物をハッキリ識別できないという視力の機能低下から事態が起きているのではと感じる。
【０００７】
また、弱視についても高性能の眼鏡が開発されているが、学童近視や乱視の矯正が図られつつあるなかで低学年の子供たちの視力が０，３以下に急増している。このような緊急事態について、統計を取りだして時代よりも甚だしく悪化してきている国内事情があります。昔から近視の予防として山の緑や遠くの景色を観たり、夜空の星を見るとよいなどと言う訓練法が知られてはいるが、近視の癖が身に付くとなかなか、もとの正常視力に戻るものが難しい。
【考案の概要】
【課題を解決するための手段】
【０００８】
ステレオグラムの原理を立体的に表現させるメガネを使用していくことで、無意識のうちに画像がうまく重なるようになる。また、目の視差角度を最大限に広げようとするために、視野が調整されるようになります。それによって脳が疲れなくなると継続的に事を行っても、リラックスしながら集中力を維持できることを、実践を通して考案させることができた。
【考案の効果】
【０００９】
視力は身体の一部となっている。その身体の機能低下が及ぼす原因の高齢運転者に交通事故の多発なども警告がなされていますが、ステレオグラム装着メガネを着用する事で視野が大きく広がれば、リラックスしながらゆとりの安全運転に心がける先天的概念が定着するようになる。
【００１０】
このステレオグラムの原理に基づく裸眼立体視メガネを使用していくことで、学童近視を健康な正常視力へ改善させる可能性が十分ある事が分かった。さらに、社会を率いる多くの人々が正常な視力を安定させた状態で活動していくなら、個々の生き方も大きく良い方へ変化していくだろう。勤勉な勇志たちの努力で日本経済の発展も大いに期待できる。
【図面の簡単な説明】
【００１１】
【図１】「図１」は、下記のGIF方式画像で説明した。
【図２】「図２」は、下記のGIF方式画像で説明した。
【００１２】
本件案の、ステレオグラムの原理に基づく画像装着メガネを使用することで、左右の目で見た焦点を合わせようとする視力機能の様子を図面１、図面２で示した。
【００１３】
図面１のメガネは外部の人々からも見られるために、ファッション性に富んだデザインを選びたい。
【００１４】
図面２は、脳が同一画像であることを認識することで、内側の二つが融合するように重なり合うと鮮明さを増したステレオグラムの画像が眉の間に浮かびあがって完成する。また、メガネ上の左右のマークは姿を消し、視角の邪魔になるものは何も無い。このようにスッキリさせるのがステレオグラムの原理であり、そうした裸眼立体視で、視力を持続的に維持した特技を再認識しながら身に付けられます。
【図１】
0003161238.tif 000003
【図２】
0003161238.tif 000004
【手続補正書】
【提出日】平成22年3月31日(2010.3.31)
【手続補正１】
【補正対象書類名】実用新案登録請求の範囲
【補正対象項目名】全文
【補正方法】変更
【補正の内容】
【実用新案登録請求の範囲】
【請求項１】
メガネのガラス上部左右に画像を装着したステレオグラム立体視メガネ。
(57)【要約】      （修正有）【課題】自転車・バイクなどの前や後のカゴに付ける着脱式で広告の交換が容易な広告ボードケースを提供する。【解決手段】自転車・バイクの前や後ろのカゴに付ける為の塩化ビニール製の透明かつ柔軟性の有る素材から成る着脱式の平面袋状広告紙挿入ケースであって、広告紙を入れる広告紙挿入ケースは表裏両面とも透明で表裏に別々の広告紙を入れる事を可能とする。さらに、広告紙導入口はファスナーとなっており雨にも対応している事を特徴として平面袋状広告紙挿入ケースを構成する。【選択図】図５
0003161236.tif 000002
【実用新案登録請求の範囲】
【請求項１】
自転車・バイクなどの前や後のカゴに付ける塩化ビニールなどの柔らかく、又、透明の素材の着脱式広告ボードケース。
広告紙を入れる広告ボードケースは表裏両面とも透明の為表裏に別々の広告紙を入れる事が可能となる。広告紙導入口は、ファスナーとなっており雨にも対応している着脱式広告ボードケース。カゴへの取り付け方法は各々様々なカゴに対応するため問わない。
【考案の詳細な説明】
【技術分野】
【０００１】本考案は自転車・バイクなどの前や後のカゴに付ける塩化ビニールなどの柔らく、又、透明の素材の着脱式広告ボードケースに関するものである。
【背景技術】
【０００２】自転車やバイクなどのカゴで広告を行う事を考えた。先行技術ではバイクを販売するＰＯＰを取り付ける物や自転車に広告を貼ると言った思考に基づく物はあったが実際、街を走しる自転車やバイクなどのカゴに広告ボードケースを素早く着脱させかつリバーシブルに使え雨にも対応する物がなかった。
【考案が解決しようとする課題】
【０００３】本考案は先行技術の自転車やバイクなどに広告を貼ると言った思考とは一線を画すものである。広告を貼る、はかすと言った時間的・労働的・経済的負担は大である。従って自転車やバイクなどのカゴに素早く着脱出来る広告ボードケースにより前述の負担を解消し、広告を行わない際はボードケースを外し、リバーシブル対応によって短時間で広告主を変更可能とする。
ファスナー付きで雨にも対応する。以上の事が解決しようとする課題である。
【考案の効果】
【０００４】上述の様に着脱式広告ボードケースをカゴに取り付けることにより広告を行わない際はボードケースを外し、リバーシブル対応によって短時間で広告主を変更可能とする。ファスナー付きで雨にも対応する。
【図面の簡単な説明】
【０００５】
【図１】着脱式広告ボードケース（表側）をカゴに取り付けた状態
【図２】着脱式広告ボードケース（裏側）をカゴに取り付けた状態
【図３】着脱式広告ボードケース（表側）に広告紙を入れる時の状態
【図４】着脱式広告ボードケース（裏側）に広告紙を入れる時の状態
【図５】広告紙・着脱式広告ボードケース・カゴ左上よりとらえた状態
【考案を実施するための形態】
【０００６】着脱式広告ボードケースを自転車・バイクのカゴに取り付ける。
塩化ビニールなどの素材の為、カゴの形状に対応し易い。
カゴへの取り付け方法は紐・クリップなど考えられるが様々なカゴに対応する為問わない。
広告紙入口はファスナーとなっており、雨にも対応している。
リバーシブル対応によって短時間で広告主を変更可能とする。
【符号の説明】▲１▼広告紙導入口ファスナー部分
▲２▼着脱式広告ボードケース本体
▲３▼広告紙
▲４▼自転車・バイクなどのカゴ
【図１】
0003161236.tif 000003
【図２】
0003161236.tif 000004
【図３】
0003161236.tif 000005
【図４】
0003161236.tif 000006
【図５】
0003161236.tif 000007
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
自転車・バイクの前や後ろのカゴに付ける為の塩化ビニール製の透明かつ柔軟性の有る素材から成る着脱式の平面袋状広告紙挿入ケースであって広告紙を入れる広告紙挿入ケースは表裏両面とも透明の為、表裏に別々の広告紙を入れる事が可能で有り、広告紙導入口はファスナーとなっており雨にも対応している事を特徴とする平面袋状広告紙挿入ケース。